【手続補正書】
【提出日】平成15年10月21日(2003.10.21)
【手続補正１】
【補正対象書類名】明細書
【補正対象項目名】特許請求の範囲
【補正方法】変更
【補正の内容】
【特許請求の範囲】
【請求項１】
プリズムと、光変調装置と、前記プリズムの側面に設けられた固定部材と、当該光変調装置と前記固定部材との間に配置された案内板と、を備えた光変調装置の取付構造であって、
前記光変調装置は、位置調整用の治具の治具側基準面に対して位置決めされた状態で形成される取付部を備えているととともに、この取付部には前記治具側基準面を転写した転写面が設けられ、
前記案内板および固定部材は、互いに位置調整可能に貫挿し合う固定部をそれぞれ備えているとともに、当該案内板の光入射側には案内板側基準面が設けられ、この案内板側基準面には前記光変調装置の取付部に対応する位置に被取付部が設けられ、
前記光変調装置の取付部が前記案内板の被取付部に着脱自在に嵌合している
ことを特徴とする光変調装置の取付構造。
【請求項２】
請求項１に記載の光変調装置の取付構造において、前記光変調装置は、プリズムの三つの側面のそれぞれに固定された前記案内板に取り付けられ、各案内板は前記三つの側面に跨って一体に設けられた前記固定部材を介して前記プリズムに固定されていることを特徴とする光変調装置の取付構造。
【請求項３】
請求項２に記載の光変調装置の取付構造において、前記固定部材は、前記プリズムの三つの側面に連続して跨り、かつ互いに間隔を空けて平行に配置された二条の跨設部と、これらの跨設部の対向する端部同士を連結する連結部とを備え、各連結部は前記三つの側面のうちの対向する二つの側面の端縁から前記プリズムと投写光学系との隙間に延出していることを特徴とする光変調装置の取付構造。
【請求項４】
請求項１ないし請求項３のいずれかに記載の光変調装置の取付構造において、前記光変調装置を保持するフレームには、当該光変調装置の取付方向に貫通した貫通孔が穿設され、当該光変調装置が設置される前記治具には、前記貫通孔と連通する位置に凹状の取付部形成手段が設けられ、これらの貫通孔および取付部形成手段に充填された樹脂が硬化することで、前記取付部が前記フレームの光出射側に突出した凸状に形成され、かつ前記治具側基準面を転写した転写面が当該取付部に設けられることを特徴とする光変調装置の取付構造。
【請求項５】
請求項４に記載の光変調装置の取付構造において、前記光変調装置の貫通孔は、樹脂充填側の開口部の径寸法が前記治具側の開口部の径寸法よりも大きいことを特徴とする光変調装置の取付構造。
【請求項６】
請求項４または請求項５に記載の光変調装置の取付構造において、前記治具の取付部形成手段には離型手段が施されていることを特徴とする光変調装置の取付構造。
【請求項７】
請求項４ないし請求項６のいずれかに記載の光変調装置の取付構造において、前記樹脂は、紫外線硬化型であることを特徴とする光変調装置の取付構造。
【請求項８】
請求項４ないし請求項７のいずれかに記載の光変調装置の取付構造において、前記治具の取付部形成手段の周囲には、当該取付部形成手段と前記光変調装置のフレームとの間に形成される隙間から前記樹脂が漏れるのを防止する漏れ防止手段が設けられていることを特徴とする光変調装置の取付構造。
【請求項９】
治具側基準面を備えた取付部形成手段を有する治具を用意し、この治具に光変調装置を設置して前記治具側基準面に対する当該光変調装置の位置を治具側理論最適値に基づいて調整し、この光変調装置に前記取付部形成手段によって取付部を形成して前記治具側基準面が転写された転写面を当該取付部に設け、
前記取付部に対応する被取付部が設けられた案内板をプリズムに固定する際に、前記被取付部が設けられた案内板側基準面を製品側理論最適値に基づいて前記プリズムに対して位置決めし、この後、前記光変調装置の取付部を前記案内板の被取付部に着脱自在に嵌合して前記取付部の転写面を前記案内板側基準面に当接させる
ことを特徴とする光変調装置の取付方法。
【請求項１０】
請求項９に記載の光変調装置の取付方法において、前記製品側のプリズムの三つの側面のそれぞれに、前記光変調装置を前記案内板を介して取り付ける際には、最初の一枚目の案内板についてのみ前記製品側理論最適値に基づいて前記プリズムに対して位置決めし、残りの二枚の案内板を各案内板側基準面の相互理論最適値に基づいて位置決めすることを特徴とする光変調装置の取付方法。
【請求項１１】
治具側基準面を備えた取付部形成手段を有する治具と、この治具の光出射側に配置される基準プリズムとを含んで構成された基準光学ユニットを用意し、
この基準光学ユニットの前記治具の光入射側に光変調装置を設置して当該光変調装置の位置を投写画像に基づいて調整するとともに、この光変調装置に前記取付部形成手段によって取付部を形成して前記治具側基準面が転写された転写面を当該取付部に設け、
前記取付部に対応する被取付部が設けられた案内板を製品側のプリズムに固定する際に、当該案内板の案内板側基準面に設けられた被取付部に前記光変調装置の取付部を着脱自在に嵌合して前記取付部の転写面を前記案内板側基準面に当接させ、この案内板ごと前記光変調装置の位置を投写画像に基づいて再度調整し、再調整された状態のまま前記案内板を前記製品側のプリズムに固定することを特徴とする光変調装置の取付方法。
【請求項１２】
複数の色光を画像情報に応じて各色光ごとに変調する複数の光変調装置と、各光変調装置で変調された色光を合成するプリズムと、このプリズムで合成された光束を拡大投写して投写画像を形成する投写光学系とを備えたプロジェクタであって、
前記請求項１ないし請求項８のいずれかに記載の取付構造を有していることを特徴とするプロジェクタ。
【請求項１３】
複数の色光を画像情報に応じて各色光ごとに変調する複数の光変調装置と、各光変調装置で変調された色光を合成するプリズムと、このプリズムで合成された光束を拡大投写して投写画像を形成する投写光学系とを備えたプロジェクタであって、
前記光変調装置は、請求項９ないし請求項１１のいずれかに記載の取付方法で取り付けられていることを特徴とするプロジェクタ。
【請求項１４】
請求項１に記載の光変調装置の取付構造において、前記光変調装置を保持するフレームには、当該光変調装置の取付方向に貫通した貫通孔が穿設され、当該光変調装置が設置される前記治具には、前記貫通孔と連通する位置に凹部及び別体の取付部材が設けられ、前記貫通孔に充填された樹脂が硬化することで、前記取付部材が前記フレームの光出射側に突出した凸状に固定され、かつ前記治具側基準面を転写した転写面が当該取付部に設けられることを特徴とする光変調装置の取付構造。
【手続補正２】
【補正対象書類名】明細書
【補正対象項目名】０００８
【補正方法】変更
【補正の内容】
【０００８】
【課題を解決するための手段】
本発明に係る光変調装置の取付構造は、プリズムと、光変調装置と、前記プリズムの側面に設けられた固定部材と、当該光変調装置と前記固定部材との間に配置された案内板と、を備えた光変調装置の取付構造であって、前記光変調装置は、位置調整用の治具の治具側基準面に対して位置決めされた状態で形成される取付部を備えているととともに、この取付部には前記治具側基準面を転写した転写面が設けられ、前記案内板および固定部材は、互いに位置調整可能に貫挿し合う固定部をそれぞれ備えているとともに、当該案内板の光入射側には案内板側基準面が設けられ、この案内板側基準面には前記光変調装置の取付部に対応する位置に被取付部が設けられ、前記光変調装置の取付部が前記案内板の被取付部に着脱自在に嵌合していることを特徴とする。


【手続補正３】
【補正対象書類名】明細書
【補正対象項目名】０００９
【補正方法】変更
【補正の内容】
【０００９】
このような構成では、後述する方法で光変調装置をプリズムに取り付けることが可能である。この結果、光変調装置では、(Ａ)製品側のプリズムに取り付けられる以前に、一旦治具を用いて三次元位置が調整されたうえ、調整された状態で案内板の被取付部に対する取付部が形成されること、(Ｂ)案内板を介して製品側のプリズムに取り付けられた後でも、三次元位置の調整状態がそのまま確保、または再調整によって確保されることから、光変調装置の交換が必要になった場合には、プリズムに固定された案内板から不良となった光変調装置を外し、この取り外した光変調装置と同じ治具で位置調整されかつ取付部が形成された新たな光変調装置を再度案内板に取り付けることにより、交換後の新たな光変調装置においても、治具で調整された状態がそのまま維持され、交換後の位置調整が不要になる。


【手続補正４】
【補正対象書類名】明細書
【補正対象項目名】００１０
【補正方法】変更
【補正の内容】
【００１０】
従って、光変調装置の交換時には、プロジェクタ等の装置ごと工場に戻したり、光学ユニットを対象とした大がかりな調整を行う必要がなく、同じ治具で位置調整された新しい光変調装置を使用者側に送り、その場で交換すればよいので、交換作業が容易になる。


【手続補正５】
【補正対象書類名】明細書
【補正対象項目名】００１１
【補正方法】変更
【補正の内容】
【００１１】
本発明に係る光変調装置の取付構造では、前記光変調装置は、プリズムの三つの側面のそれぞれに固定された前記案内板に取り付けられ、各案内板は前記三つの側面に跨って一体に設けられた前記固定部材を介して前記プリズムに固定されていることを特徴とする。


【手続補正６】
【補正対象書類名】明細書
【補正対象項目名】００１３
【補正方法】変更
【補正の内容】
【００１３】
本発明に係る光変調装置の取付構造では、前記固定部材は、前記プリズムの三つの側面に連続して跨り、かつ互いに間隔を空けて平行に配置された二条の跨設部と、これらの跨設部の対向する端部同士を連結する連結部とを備え、各連結部は前記三つの側面のうちの対向する二つの側面の端縁から前記プリズムと投写光学系との隙間に延出していることを特徴とする。


【手続補正７】
【補正対象書類名】明細書
【補正対象項目名】００１５
【補正方法】変更
【補正の内容】
【００１５】
本発明に係る光変調装置の取付構造では、前記光変調装置を保持するフレームには、当該光変調装置の取付方向に貫通した貫通孔が穿設され、当該光変調装置が設置される前記治具には、前記貫通孔と連通する位置に凹状の取付部形成手段が設けられ、これらの貫通孔および取付部形成手段に充填された樹脂が硬化することで、前記取付部が前記フレームの光出射側に突出した凸状に形成され、かつ前記治具側基準面を転写した転写面が当該取付部に設けられることを特徴とする。


【手続補正８】
【補正対象書類名】明細書
【補正対象項目名】００１６
【補正方法】変更
【補正の内容】
【００１６】
このような構成では、治具に対してフレームが傾いた状態に位置決めされた場合でも、このような傾きに関係なく、粘性を有した樹脂がフレームの貫通孔と治具の取付部形成手段とに良好に充填され、凸状の取付部および転写面が確実に形成される。また、本発明に係る光変調装置の取付構造において、前記光変調装置を保持するフレームには、当該光変調装置の取付方向に貫通した貫通孔が穿設され、当該光変調装置が設置される前記治具には、前記貫通孔と連通する位置に凹部及び別体の取付部材が設けられ、前記貫通孔に充填された樹脂が硬化することで、前記取付部材が前記フレームの光出射側に突出した凸状に固定され、かつ前記治具側基準面を転写した転写面が当該取付部に設けられてもよい。
【手続補正９】
【補正対象書類名】明細書
【補正対象項目名】００１７
【補正方法】変更
【補正の内容】
【００１７】
本発明に係る光変調装置の取付構造では、前記光変調装置の貫通孔は、樹脂充填側の開口部の径寸法が前記治具側の開口部の径寸法よりも大きいことを特徴とする。


【手続補正１０】
【補正対象書類名】明細書
【補正対象項目名】００１９
【補正方法】変更
【補正の内容】
【００１９】
本発明に係る光変調装置の取付構造では、前記治具の取付部形成手段には離型手段が施されていることを特徴とする。


【手続補正１１】
【補正対象書類名】明細書
【補正対象項目名】００２１
【補正方法】変更
【補正の内容】
【００２１】
本発明に係る光変調装置の取付構造では、前記樹脂は、紫外線硬化型であることを特徴とする。


【手続補正１２】
【補正対象書類名】明細書
【補正対象項目名】００２２
【補正方法】変更
【補正の内容】
【００２２】
紫外線硬化型の樹脂は通常の状態で軟性を有しているので、他の一般的な樹脂のようにペレットを溶融して軟化させる必要がなく、設備等が簡略化される。また、紫外線の照射量に応じて硬化時間がコントロールされるから、生産ラインのタクトタイム等に応じた硬化時間を設定可能である。さらに、二液性の硬化樹脂ではなく、一液性とすれば、取扱いや管理が容易である。


【手続補正１３】
【補正対象書類名】明細書
【補正対象項目名】００２３
【補正方法】変更
【補正の内容】
【００２３】
本発明に係る光変調装置の取付構造では、前記治具の取付部形成手段の周囲には、当該取付部形成手段と前記光変調装置のフレームとの間に形成される隙間から前記樹脂が漏れるのを防止する漏れ防止手段が設けられていることを特徴とする。


【手続補正１４】
【補正対象書類名】明細書
【補正対象項目名】００２５
【補正方法】変更
【補正の内容】
【００２５】
本発明に係る光変調装置の取付方法は、上述の光変調装置をプリズムに取り付けるための方法であって、具体的には、治具側基準面を備えた取付部形成手段を有する治具を用意し、この治具に光変調装置を設置して前記治具側基準面に対する当該光変調装置の位置を治具側理論最適値に基づいて調整し、この光変調装置に前記取付部形成手段によって取付部を形成して前記治具側基準面が転写された転写面を当該取付部に設け、前記取付部に対応する被取付部が設けられた案内板をプリズムに固定する際に、前記被取付部が設けられた案内板側基準面を製品側理論最適値に基づいて前記プリズムに対して位置決めし、この後、前記光変調装置の取付部を前記案内板の被取付部に着脱自在に嵌合して前記取付部の転写面を前記案内板側基準面に当接させることを特徴とする。


【手続補正１５】
【補正対象書類名】明細書
【補正対象項目名】００２７
【補正方法】変更
【補正の内容】
【００２７】
本発明に係る光変調装置の取付方法では、前記製品側のプリズムの三つの側面のそれぞれに、前記光変調装置を前記案内板を介して取り付ける際には、最初の一枚目の案内板についてのみ前記製品側理論最適値に基づいて前記プリズムに対して位置決めし、残りの二枚の案内板を各案内板側基準面の相互理論最適値に基づいて位置決めすることを特徴とする。


【手続補正１６】
【補正対象書類名】明細書
【補正対象項目名】００２９
【補正方法】変更
【補正の内容】
【００２９】
本発明に係る光変調装置の取付方法は、治具側基準面を備えた取付部形成手段を有する治具と、この治具の光出射側に配置される基準プリズムとを含んで構成された基準光学ユニットを用意し、この基準光学ユニットの前記治具の光入射側に光変調装置を設置して当該光変調装置の位置を投写画像に基づいて調整するとともに、この光変調装置に前記取付部形成手段によって取付部を形成して前記治具側基準面が転写された転写面を当該取付部に設け、前記取付部に対応する被取付部が設けられた案内板を製品側のプリズムに固定する際に、当該案内板の案内板側基準面に設けられた被取付部に前記光変調装置の取付部を着脱自在に嵌合して前記取付部の転写面を前記案内板側基準面に当接させ、この案内板ごと前記光変調装置の位置を投写画像に基づいて再度調整し、再調整された状態のまま前記案内板を前記製品側のプリズムに固定することを特徴とする。


【手続補正１７】
【補正対象書類名】明細書
【補正対象項目名】００３０
【補正方法】変更
【補正の内容】
【００３０】
このような方法でも、案内板の取付手順に違いがあるものの、前述の取付方法と同様な作用効果を奏することができ、本発明の目的が達成される。


【手続補正１８】
【補正対象書類名】明細書
【補正対象項目名】００３１
【補正方法】変更
【補正の内容】
【００３１】
本発明に係るプロジェクタは、複数の色光を画像情報に応じて各色光ごとに変調する複数の光変調装置と、各光変調装置で変調された色光を合成するプリズムと、このプリズムで合成された光束を拡大投写して投写画像を形成する投写光学系とを備えたプロジェクタであって、前記光変調装置は、前述のいずれかに記載の取付構造を有していることを特徴とする。


【手続補正１９】
【補正対象書類名】明細書
【補正対象項目名】００３２
【補正方法】変更
【補正の内容】
【００３２】
本発明に係るプロジェクタは、複数の色光を画像情報に応じて各色光ごとに変調する複数の光変調装置と、各光変調装置で変調された色光を合成するプリズムと、このプリズムで合成された光束を拡大投写して投写画像を形成する投写光学系とを備えたプロジェクタであって、前記光変調装置は、前述のいずれかに記載の取付方法で取り付けられていることを特徴とする。


【手続補正２０】
【補正対象書類名】明細書
【補正対象項目名】００５４
【補正方法】変更
【補正の内容】
【００５４】
(２)液晶パネル１４１Ｒ，１４１Ｇ，１４１Ｂの交換にあたっては、ＲＧＢの各色光に関係なく、同じ治具４００で位置調整された液晶パネル１４１と交換できる。このため、各色光毎に専用の治具４００を設ける必要がないから、交換用として製作される液晶パネル１４１も一種類となり、交換パーツとして物違いを生じることがなく、生産管理や在庫管理等も容易にできる。


【手続補正２１】
【補正対象書類名】明細書
【補正対象項目名】００５６
【補正方法】変更
【補正の内容】
【００５６】
(４)固定部材３００は、クロスダイクロイックプリズム１５０の三側面に跨る一体物であるため、各案内板２００を少ない部材点数でプリズム１５０側に取り付けることができる。また、プリズム１５０の三側面それぞれに固定部材を設ける必要がないので、固定部材３００自身のプリズム１５０側への取付作業も容易にできる。


【手続補正２２】
【補正対象書類名】明細書
【補正対象項目名】００６１
【補正方法】変更
【補正の内容】
【００６１】
(９)取付部１４４を形成する樹脂１４８は、通常の状態で軟性を有している紫外線硬化型であるから、他の一般的な樹脂のようにペレットを溶融して軟化させる必要がなく、設備等を簡略化できる。また、紫外線の照射量に応じて硬化時間をコントロールできるから、生産ラインのタクトタイム等に応じた硬化時間を設定できる。さらに、樹脂１４８は二液性の硬化樹脂ではなく、一液性なので、取扱いや管理を容易にできる。